(57)【要約】【課題】  設計手段により、入力画面提供手段を通じて設計に必要なすべての情報が、設計依頼者の端末装置から入力され、設計情報データベースに格納された後に、この設計情報から配置可能条件を算出し、この条件に合致した箱体を、盤タイプ決定マスタデータベースを用いて決定し、決定した箱体上に、必要な機器、部品の配置を行う盤機器設計支援システムにおいて、複数のブロック部品のうちある特定のブロック部品が突出して多い場合においても、一つの箱体を効率的に使用でき、全体の箱体の数を必要最小限に少なくできる盤機器設計支援システムを提供すること。【解決手段】  盤タイプ決定マスタデータベース２２は、単一種類のブロック部品のみを収納可能な箱体種別と、この箱体種別に対応するブロック部品及びその収納可能な個数情報とを有するようにした。【選択図】  図１
2005339183.tif 000002
【特許請求の範囲】
【請求項１】
設計依頼者が端末装置から入力した、機器や部品の設計情報に基づいて、最適な箱体を選択して、盤機器の組立て設計を支援する盤機器の設計支援装置であって、盤の設計に必要な部品の情報を、配置上の最小単位であるブロック部品ごとに区分して格納した部品マスタデータベースと、盤を構成する部品を納める箱体の基本情報を格納した盤タイプ決定マスタデータベースと、盤の設計情報を端末装置から入力させるための入力画面提供手段と、前記入力された設計情報を格納する設計情報データベースと、前記設計情報を前記設計情報データベースに格納する設計情報格納手段と、前記設計情報に基づいて盤機器の設計を行う設計手段と、前記設計手段により設計された設計結果を、設計情報データベースに格納する設計結果格納手段とを備え、前記設計手段は、前記入力画面提供手段を通じて設計に必要なすべての情報が、設計依頼者の端末装置から入力され、前記設計情報データベースに格納された後に、この設計情報から配置可能条件を算出し、この条件に合致した箱体を、前記盤タイプ決定マスタデータベースを用いて決定し、決定した箱体上に、必要な機器、部品の配置を行う盤機器設計支援システムにおいて、前記盤タイプ決定マスタデータベースは、単一種類のブロック部品のみを収納可能な箱体種別と、この箱体種別に対応するブロック部品及びその収納可能な個数情報とを有していることを特徴とする盤機器設計支援システム。
【請求項２】
入力画面提供手段により入力を促される設計情報に前記物件情報が含まれているとともに、前記盤タイプ決定マスタデータベースは、箱体の種別ごとに適合する物件情報を有しており、前記設計手段は、前記物件情報に基づいて、適合する箱体を選別することを特徴とする請求項１に記載の盤機器設計支援システム。
【請求項３】
前記盤タイプ決定マスタデータベースは、箱体の種別ごとに箱体価格情報をさらに有しており、前記設計手段は、前記箱体価格情報に基づいて、最も安価な箱体を決定することを特徴とする請求項１または２に記載の盤機器設計支援システム。
【発明の詳細な説明】
【技術分野】
【０００１】
本発明は、配電盤、端子盤、分電盤、調光盤、ＴＶ盤などの盤機器を設計支援するための盤機器設計支援システムに関する。
【背景技術】
【０００２】
近年の盤機器設計支援システムでは、インターネットなどの通信ネットワークを利用して、設計図面等の作成を行っている。すなわち、設計依頼者が汎用のブラウザソフトを用いて設計支援サーバをアクセスして、必要な機器・部品を入力して設計依頼すると、サーバ側では、入力された設計情報に基づき自動設計を行い、図面を自動作成するようなシステムが提案されている。（特開２００２―１４９７２４号公報）
この盤機器設計支援システムでは、設計依頼者が通信ネットワークを介して必要な機器・部品を入力し、すべての必要設計情報が格納された場合に、すべての機器・部品を配置可能とする箱体を自動的に決定し、機器・部品の配置設計を行うものである。
【０００３】
しかしながらこの盤機器設計支援システムでは、例えば主幹ブレーカ、調光回路ブロック、制御回路ブロックなどの必要とされる複数の種類の異なるブロック部品が同時に配置できる箱体を設計対象として盤タイプ決定マスタに登録されており、必然的に一つの箱体に配置できる同一のブロック部品の数は、外形同寸の箱体全体に同一のブロック部品を配置できる場合に比べて少なくなり、ある特定のブロック部品が突出して多い場合に、このような箱体を盤タイプ決定マスタから選択すると、箱体の数が増えてしまい効率的に箱体を使用することができないという問題がある。
【特許文献１】特開２００２−１４９７２４号公報
【発明の開示】
【発明が解決しようとする課題】
【０００４】
本願発明は、前記事由に鑑みてなされたものであり、その課題は、複数のブロック部品のうちある特定のブロック部品が突出して多い場合においても、一つの箱体を効率的に使用でき、全体の箱体の数を必要最小限に少なくできる盤機器設計支援システムを提供することである。
【課題を解決するための手段】
【０００５】
前記課題を解決するために、本願発明の盤機器設計支援システムは、設計依頼者が端末装置から入力した、機器や部品の設計情報に基づいて、最適な箱体を選択して、盤機器の組立て設計を支援する盤機器の設計支援装置であって、盤の設計に必要な部品の情報を、配置上の最小単位であるブロック部品ごとに区分して格納した部品マスタデータベースと、盤を構成する部品を納める箱体の基本情報を格納した盤タイプ決定マスタデータベースと、盤の設計情報を端末装置から入力させるための入力画面提供手段と、前記入力された設計情報を格納する設計情報データベースと、前記設計情報を前記設計情報データベースに格納する設計情報格納手段と、前記設計情報に基づいて盤機器の設計を行う設計手段と、前記設計手段により設計された設計結果を、設計情報データベースに格納する設計結果格納手段とを備え、前記設計手段は、前記入力画面提供手段を通じて設計に必要なすべての情報が、設計依頼者の端末装置から入力され、前記設計情報データベースに格納された後に、この設計情報から配置可能条件を算出し、この条件に合致した箱体を、前記盤タイプ決定マスタデータベースを用いて決定し、決定した箱体上に、必要な機器、部品の配置を行う盤機器設計支援システムにおいて、前記盤タイプ決定マスタデータベースは、単一種類のブロック部品のみを収納可能な箱体種別と、この箱体種別に対応するブロック部品及びその収納可能な個数情報とを有しているよう形成したものである。
【発明の効果】
【０００６】
本願発明の盤機器設計支援システムにおいては、前記盤タイプ決定マスタデータベースは、単一種類のブロック部品のみを収納可能な箱体種別と、この箱体種別に対応するブロック部品及びその収納可能な個数情報とを有しているので、複数のブロック部品のうちある特定のブロック部品が突出して多い場合においても、一つの箱体を効率的に使用でき、全体の箱体の数を必要最小限に少なくできるものである。
【発明を実施するための最良の形態】
【０００７】
以下に、本発明の実施の形態を添付図面とともに説明する。
【０００８】
図１は、盤機器設計支援サーバ装置の要部構成と、このサーバを含むシステムの構成を示すブロック図である。
【０００９】
この盤機器設計支援システムは、設計依頼者が端末装置２から入力した、機器や部品の設計情報に基づいて、最適な箱体を選択して、盤機器の組立て設計を支援する盤機器の設計支援装置であって、盤の設計に必要な部品の情報を、配置上の最小単位であるブロック部品ごとに区分して格納した部品マスタデータベース２３と、盤を構成する部品を納める箱体の基本情報を格納した盤タイプ決定マスタデータベース２２と、盤の設計情報を端末装置２から入力させるための入力画面提供手段１１と、前記入力された設計情報を格納する設計情報データベース２１と、前記設計情報を前記設計情報データベース２１に格納する設計情報格納手段１２と、前記設計情報に基づいて盤機器の設計を行う設計手段１３と、前記設計手段１３により設計された設計結果を、設計情報データベース２１に格納する設計結果格納手段１４とを備え、前記設計手段１３は、前記入力画面提供手段１１を通じて設計に必要なすべての情報が、設計依頼者の端末装置２から入力され、前記設計情報データベース２１に格納された後に、この設計情報から配置可能条件を算出し、この条件に合致した箱体を、前記盤タイプ決定マスタデータベース２２を用いて決定し、決定した箱体上に、必要な機器、部品の配置を行うものである。そして前記盤タイプ決定マスタデータベース２２は、単一種類のブロック部品のみを収納可能な箱体種別と、この箱体種別に対応するブロック部品及びその収納可能な個数情報とを有しているよう形成している。
【００１０】
また、入力画面提供手段１１により入力を促される設計情報に前記物件情報が含まれているとともに、前記盤タイプ決定マスタデータベース２２は、箱体の種別ごとに適合する物件情報を有しており、前記設計手段１３は、前記物件情報に基づいて、適合する箱体を選別するものである。
【００１１】
また、前記盤タイプ決定マスタデータベース２２は、箱体の種別ごとに箱体価格情報をさらに有しており、前記設計手段１３は、前記箱体価格情報に基づいて、最も安価な箱体を決定するものである。
【００１２】
盤機器設計支援サーバ装置１は、インターネット、ＬＡＮなどの通信ネットワークＮを通じて、設計依頼者の端末装置２と接続可能に構成されている。そして、設計支援サーバ１には、入力画面提供手段１１、設計情報格納手段１２、設計手段１３、設計結果格納手段１４、部品マスタ更新手段１５を少なくとも備えた処理装置１０と、設計依頼者が入力した情報を格納する設計情報データベース２１、箱体の各種属性等の基本情報を登録した盤タイプ決定マスタデータベース２２、部品の各種属性等の情報を登録した部品マスタデータベース２３、決定された箱体情報などを格納する設計結果情報データベース２４を少なくとも備えた記録装置２０とを有している。
【００１３】
入力画面提供手段１１は、端末装置２から情報を入力させるための画面や、端末装置２に設計結果を表示させるための画面を提供するために稼動される。この入力画面提供手段１１を介して、サーバ装置１は、工事物件の概要を示す物件情報（図２（ａ））、設計に必要な設計情報（図２（ｂ））を取り込む。
【００１４】
図２（ａ）は、物件情報のデータ構成例を示す図であり、物件名称や設備分類などの情報を有している。この例では、設備分類がホール劇場・市民会館となっており、物件情報の入力時に入力画面提供手段１１によりいくつかの設備分類が示され、その中から適合するものを選択させるようにしている。図（ｂ）は、設計情報データベース２１のデータ構成例を示す図であり、盤機器名称２１ａ、その盤に格納すべき機器、部品２１ｂ、それぞれの数量２１ｃなどの情報を有している。これらの情報は、入力画面提供手段１１によって提供される入力画面（不図示）等で指定されたフォーマットに従い入力され、盤機器設計支援サーバ装置１側に取り込まれる。
【００１５】
取り込まれた情報は、設計情報格納手段１２により設計情報データベース２１に格納され、設計手段１３により、各種データベースを参照しながら箱体決定、部品配置設計がなされ、その設計結果は、設計結果情報データベース２４に格納される。
【００１６】
設計手段１３が設計処理するために参照する部品マスタデータベース２３のデータ構成例を図３に、盤タイプ決定マスタデータベース２２のデータ構成例を図４に示す。
【００１７】
部品マスタデータベース２３は、箱体に機器、部品を配置する上での最小単位であるブロック部品ごとに区分してデータが登録されており、ブロック部品名以外の情報として、ブロック部品を構成する部品種類（実装回路種類）、構成する部品数（回路数）、電下容量やユニット定格、優先順位、通常使用部品／ダミー部品の種別、付属部品情報、生産中止の場合の後継部品などを有している。これらの情報は、部品マスタ更新手段１５等のツールにより、新規登録、更新、削除がなされる。
【００１８】
一方、盤タイプ決定マスタデータベース２２は、箱体の種別ごとに区分してデータが登録されており、箱体名以外の情報として、箱体の大きさを表わすサイズ情報、幅がフルサイズかハーフサイズかをあらわす幅区分、箱体に収容可能な各部品個数、箱体が適合する設備分類情報、過去出荷台数情報、箱体価格情報などを有している。また箱体は、主幹盤、調光器盤、制御盤、切換盤、端子盤などの必要とされる単一の部品のみをそれぞれ収納するものとして登録されている。これらの情報は、更新ツール（不図示）により、新規登録、更新、削除がなされる。
【００１９】
設計手段１３により設計され、設計結果データベース２４に格納された情報は、図５、６に示すような形態で、通信ネットワークＮを介して設計依頼者の端末装置２に提供される。
【００２０】
図５は、設計結果データベース２４のデータ構成例を示す図である。設計開始時に設計情報データベース２１に格納された設計情報に加えて、決定されたブロック部品名、その必要個数などの設計結果が格納され配置設計が完了すると、これらの設計結果情報は、入力画面提供手段１１により通信ネットワークＮを介して、設計依頼者の端末装置２に返信される。
【００２１】
図６は他の設計結果情報で、（ａ）は部品の種類別合計表、（ｂ）は決定された箱体の一覧表の一例を示す図である。
【００２２】
図５、６に示す設計結果情報は一例を示すもので、前記以外の編集形態で表示させてもよい。少なくとも設計依頼者の要求する物件に対して決定された箱体の種別、その箱体に配置すべきブロック部品種別、それぞれのブロック部品個数などの配置位置情報が提供され、さらに、図９に示すようなブロック部品の配置画面が端末装置２に提供されればよい。
【００２３】
図７、８は、設計依頼者の端末装置２からの設計情報入力から設計結果出力までの、盤機器設計支援サーバ装置１の基本動作を示すフローチャートである。ここでは、「調光盤」の設計を一例として示し、詳細フローチャート等および前記各種データベースを参照しつつ説明する。
【００２４】
サーバ装置１は、設計依頼者の端末装置２から入力した設計情報を取り込み、設計情報データベース２１にレコードを生成する。
【００２５】
入力された物件情報を取り込み、「・・・演劇場南館改修工事大ホール用調光盤」の設計情報を、主幹ブレーカ、調光回路、切換回路、制御回路と、順次取り込み、データベース格納処理を行う。すなわち、入力された主幹ブレーカの情報は、設計情報データベース２１のレコードに格納され、入力された調光回路の情報については、部品マスタデータベース２３を検索し、部品に対応するブロック部品を選択し、計算式（入力した部品数 ÷ 回路数）により、ブロック部品数を算出したのち、設計情報データベース２１に格納される。この処理を、設計情報が入力された調光回路すべてについて繰り返す。また、切換回路および制御回路についても、調光回路と同様の処理を実行する。
【００２６】
また、決定されたブロック部品が生産中止であり、後継部品を示す情報が、部品マスタデータベース２３の該当のブロック部品情報に含まれている場合には、その後継部品に自動変更して、設計情報データベース２１に格納する。
【００２７】
こうして入力された設計情報データベース２１の情報に基づいて、ブロック部品の個数集計、盤マスタデータベース２３による箱体の選択、ブロック部品の盤上への配置設計を実行し、設計結果を設計結果データベース２４に格納する。
【００２８】
箱体選択は、部品が配置可能であるかどうかという配置可能条件によって行われる。すなわち、入力された部品のブロック部品ごとの個数集計値を配置可能条件として、この条件と、盤タイプ決定マスタデータベース２２の収容可能な各部品個数との比較により、実際に配置することができる箱体を決定する。この配置可能条件に適合する箱体が複数ある場合は、盤タイプ決定マスタデータベース２２の設備分類を参照して設備分類が合致する箱体を選択する。この段階においても適合する箱体が複数ある場合は、盤タイプ決定マスタデータベース２２の過去出荷台数情報に基づいて、最も過去出荷台数が多い箱体に決定する。さらに、この段階においても適合する箱体が複数ある場合は、盤タイプ決定マスタデータベース２２のに箱体価格情報基いて、最も安価な箱体を決定する。
【００２９】
この例では、設計情報データベース２１に格納された設計情報より部品マスターベースを参照して、主幹ブレーカは主幹ブレーカＸ、主幹ブレーカＹの合計２個、調光回路ａの１００回路、ｂの１００回路、ｃの３６回路、ｄの１０回路、ｅの８回路、ｆの６回路は、それぞれ調光モジュールＡ２の５０個、Ｅ２の５０個、Ａ２の１８個、Ａ２の５個、Ｄの８個、Ｅ２の３個が選択されているので、調光回路ブロック数集計は１３０、制御回路ａ、ｂ、ｃは、それぞれ制御モジュールＡの３個、Ｂ１の３個、Ｄ１の３個が選択されているので、制御回路ブロック数集計は３、切換回路ａはＭＣブロックＡの４個となる。
【００３０】
そして、各ブロック部品を収納する箱体は、盤タイプ決定マスタデータベースのそれぞれ対応する箱体に分けて配置可能条件に基いて選択される。主幹盤は、配置可能条件として事前登録された電源容量が満足できるものとして選択され、この例では、主幹ブレーカＸ、主幹ブレーカＹの電源容量２００Ｗ、２５０Ｗよりも大きい電源容量を有する盤が選択される。盤タイプ決定マスタデータベースでは、すべて４００Ｗ以上であるので、すべての盤が選択可能である。この場合、次の優先条件として設備分類が着目され、設備分類「ホール」が適合するものとして盤タイプ決定マスタデータベース２２の設備分類Ａが適合するもの、例えば主幹盤１〜主幹盤６が選択され、さらに過去出荷台数の多い主幹盤２が選択される。次の決定すべきブロック部品である調光モジュールを収納する調光器盤は、以下のようにして選択される。まず配置可能条件として事前登録された最大実装モジュールサイズよりも小さいことを基準に選択されるのであるが、すべての調光器盤の最大実装モジュールサイズよりも、収納される調光モジュールが多いときは、最も最大実装モジュールサイズが大きい調光器盤が選択される。次に、調光モジュール数から実装モジュールサイズを減算した残りの数を改めて調光モジュール数として同様な選択が行われる。この場合、調光器盤８が３個選ばれることになる。制御盤、切換盤についても同様な手順により箱体が一つに決定される。
【００３１】
こうして各ブロック部品毎に選択された箱体に、ブロック部品を順に配置し、配置が終了すれば、設計結果を設計結果データベース２４に格納し、配置後のブロック部品配置画面を端末装置２に表示させる。
【００３２】
そして、設計情報データベース２１からブロック部品を１件ずつ取り出し、盤タイプ決定マスタデータベース２２の収容可能部品個数、および部品マスタデータベース２３の配置位置情報を参照しながら、順次ブロック部品を箱体に配置する。
【００３３】
完了した部品配置について問題があるかどうかを設計依頼者の端末装置２に問い合わせ、問題がなければそのまま終了する。問題や要望があれば、配置位置そのものの変更や他のブロック部品への交換の操作をさせ、再設計、部品再配置を実施して、結果を設計結果データベース２４に格納するようにしてもよい。
【００３４】
図９に示すように、配置位置の変更は、端末装置２の画面上に表示された部品を入れ替えたり、移動させたりして行う。また、配置不可能な位置への変更を行おうとした場合には、警告して変更できない旨を報知する。
【００３５】
全体フローチャートには示していないが、部品マスタデータベース２３には付属部品情報が含まれており、付属部品が存在する場合には、この情報によりブロック部品の付属部品も同時に決定され、図６（ａ）に示す付属部品一覧表を設計依頼者に提供することができる。
【００３６】
このような盤機器設計支援システムにおいては、前記盤タイプ決定マスタデータベース２２は、単一種類のブロック部品のみを収納可能な箱体種別と、この箱体種別に対応するブロック部品及びその収納可能な個数情報とを有しているので、複数のブロック部品のうちある特定のブロック部品が突出して多い場合においても、一つの箱体を効率的に使用でき、全体の箱体の数を必要最小限に少なくできるものである。
【００３７】
なお、上記例では、過去出荷台数情報の方が箱体価格情報よりも優先度が高くなっているが、逆にしてもよい。また、上記例では調光モジュールが他の部品よりも突出して多い場合であり、調光モジュールのみを収納する調光器盤を用いることによって、全体の箱体数を少なくできるのであるが、一種類の部品がさほど突出して多くない場合は、従来手法（特開２００２−１４９７２４号公報）に記載した方法の方が全体の箱体数を少なくできる場合もある。この従来手法と上記した手法の両方で箱体を選択し、全体の箱体数が少なくなる手法を採用するようにしてもよい。
【図面の簡単な説明】
【００３８】
【図１】本発明の実施形態の盤機器設計支援サーバ装置の要部構成と、このサーバを含むシステムの構成を示すブロック図である。
【図２】同上の盤機器設計支援システムにおける設計情報を示す図であり、（ａ）は物件情報のデータ構成例、（ｂ）は設計に必要な設計情報を示す。
【図３】同上の盤機器設計支援システムにおける部品マスタデータベースのデータ構成例を示す図である。
【図４】同上の盤機器設計支援システムにおける盤タイプ決定マスタデータベースのデータ構成例を示す図である。
【図５】同上の盤機器設計支援システムにおける設計結果データベースのデータ構成例を示す図である。
【図６】同上の盤機器設計支援システムにおける他の設計結果情報で、（ａ）は部品の種類別合計表、（ｂ）は決定された箱体の一覧表の一例を示す図である。
【図７】同上の盤機器設計支援システムの基本動作の一例を示すフローチャート図である。
【図８】同上の盤機器設計支援システムの基本動作の一例を示すフローチャート図である。
【図９】同上の盤機器設計支援システムにおいて、設計結果から端末装置に表示させるブロック部品配置画面の一例を示す図であり、（ａ）主幹盤、（ｂ）が調光器盤、（ｃ）が制御盤、（ｄ）が切換盤を示す。
【符号の説明】
【００３９】
１    盤機器設計支援サーバ装置
２    端末装置
１０    処理装置
１１    入力画面提供手段
１２    設計情報格納手段
１３    設計手段
１４    設計結果格納手段
１５    部品マスタ更新手段
２１    設計情報データベース
２２    盤タイプ決定マスタデータベース
２３    部品マスタデータベース
２４    設計結果情報データベース
Ｎ    通信ネットワーク
【図１】
2005339183.tif 000003
【図２】
2005339183.tif 000004
【図３】
2005339183.tif 000005
【図４】
2005339183.tif 000006
【図５】
2005339183.tif 000007
【図６】
2005339183.tif 000008
【図７】
2005339183.tif 000009
【図８】
2005339183.tif 000010
【図９】
2005339183.tif 000011